(57)【要約】【課題】電子楽器から取り外されている際には、その設置面積を小さくできる電子楽器のスタンドを提供すること。【解決手段】電子楽器のスタンド１０が電子楽器１から取り外されている際に、可動部材１８，１８を蝶番１６を中心にして回転させてスタンド１０の内側に折り畳めば、その分スタンド１０の前後方向の長さが短くなる。したがって、スタンド１０の設置面積を小さくできる。【選択図】図１
2004021022.tif 000002
【特許請求の範囲】
【請求項１】
中央部材と、
該中央部材に連設され、電子楽器の左右端近傍を下方から支持可能な一対の支持部材と、
前記中央部材または前記支持部材に連結された可動部材と
を備え、
該可動部材は、前記支持部材と協働して電子楽器の前後端近傍を下方から支持可能な位置（以下支持位置）と、該支持位置よりも前記中央部材に近い位置（以下近接位置）との間を移動可能に構成されていること
を特徴とする電子楽器のスタンド。
【請求項２】
請求項１記載の電子楽器のスタンドにおいて、
前記可動部材は、前記中央部材または前記支持部材に回転可能に連結されていること
を特徴とする電子楽器のスタンド。
【請求項３】
請求項１又は２記載の電子楽器のスタンドにおいて、
一対の前記支持部材が前記中央部材の両端付近に対向して配されており、
複数の前記可動部材を備え、
一対の前記支持部材それぞれには、少なくとも一つの前記可動部材が回転可能に連結されており、
さらに前記近接位置は、前記対向配置された一対の支持部材の間にあること
を特徴とする電子楽器のスタンド。
【請求項４】
請求項１記載の電子楽器のスタンドにおいて、
前記可動部材は、前記支持位置と前記近接位置との間で水平方向に平行移動可能に構成されていること
を特徴とする電子楽器のスタンド。
【発明の詳細な説明】
【０００１】
【発明の属する技術分野】
本発明は、電子楽器のスタンドに関する。
【０００２】
【従来の技術】
背板と、背板の両端にそれぞれ連設された一対の側板とを備え、電子楽器を下方から支持可能な電子楽器のスタンドが知られており、例えば実開平７−２３３８５号公報にて開示されているものが挙げられる。
【０００３】
【発明が解決しようとする課題】
しかし、上述のような電子楽器のスタンドは、電子楽器から取り外されている際には必要ではないため、その設置面積を小さくすることが求められていた。また、電子楽器のスタンドを運搬する際に、かさばってしまうという問題もある。
【０００４】
本発明は、このような不具合に鑑みなされたものであり、その目的とするところは、電子楽器から取り外されている際には、その設置面積を小さくできる電子楽器のスタンドを提供することにある。
【０００５】
【課題を解決するための手段及び発明の効果】
上記課題を解決するために、請求項１の電子楽器のスタンドは、中央部材（１０：この欄においては、発明への理解の容易化のため、必要に応じて実施の形態中で用いた符号を付すが、この符号によって請求の範囲を限定することを意味するものではない。）と、該中央部材に連設され、電子楽器（１）の左右端近傍を下方から支持可能な一対の支持部材（１４）と、前記中央部材または前記支持部材に連結された可動部材（１８）とを備え、該可動部材は、前記支持部材と協働して電子楽器の前後端近傍を下方から支持可能な位置（以下支持位置）と、該支持位置よりも前記中央部材に近い位置（以下近接位置）との間を移動可能に構成されていることを特徴とする。
【０００６】
本請求項１の電子楽器のスタンド（以下スタンド）は、図１に例示するように、支持部材（１４）により電子楽器（１）の左右端近傍を支持可能であり、さらに、可動部材（１８）が図１に示す支持位置にある際には、支持部材（１４）および可動部材（１８）により電子楽器（１）の前後端近傍を支持可能である。なお、スタンドにおける中央部材、支持部材および可動部材の連設状態は図１に示すものだけでなく、図６に例示するように様々な形態が考えられる。この点は後述する。
【０００７】
この支持位置にある可動部材（１８）を移動させて中央部材（１２）に近づけ、図２（ｂ）に例示するような近接位置とすれば、この可動部材（１８）が支持位置から中央部材（１２）に向けて近づいた分スタンド（１０）の前後方向の長さが短くなる。したがって、スタンド（１０）が電子楽器（１）から取り外されている際に、その設置面積を小さくできる。
【０００８】
なお、上述のように支持位置と近接位置との間で可動部材を移動可能にする構成としては、請求項２のように、可動部材を中央部材または支持部材に回転可能に連結することが考えられる。
また、スタンドが上述のような可動部材を複数備えてもよい。このような構成によれば、スタンドを電子楽器に取り付けた際に、電子楽器をさらに安定して支持することができる。
【０００９】
この場合、請求項３のように、一対の支持部材が中央部材の両端付近に対向して配されており、これら一対の支持部材それぞれに、少なくとも一つの可動部材を回転可能に連結し、さらに対向配置された一対の支持部材の間に近接位置を設定する、つまり近接位置をスタンドの内側に設定することが考えられる。このような構成にすれば、近接位置がスタンドの外側にある場合よりもスタンドの左右方向の長さを狭くでき、スタンドの設置面積を小さくできる。
【００１０】
そして、上述のように一対の支持部材それぞれに回転可能に連結された可動部材の前後方向の長さを、支持部材の前後方向の長さよりも短くするとよい。このような構成にすれば、可動部材を移動させる際に、可動部材の一面と支持部材の一面とが合わさり、綺麗に折り畳むことができる。
【００１１】
また可動部材を、請求項４のように、図４（ａ）に例示する支持位置と図４（ｂ）に例示する近接位置との間で水平方向に平行移動可能に構成してもよい。このような構成によれば、可動部材を近接位置にした際にスタンドの前後方向の長さを短くでき、その設置面積を小さくできる。
【００１２】
ところで、上述の支持部材は、中央部材に回転可能に連結される構成とすることもできる。このような構成にすれば、支持部材ごと折り畳むことによりスタンドの設置面積をより小さくできる。
また、上述の支持部材を、中央部材に対してビスや木ねじなどにより分離可能に連結してもよい。このような構成によれば、電子楽器から取り外されている際に中央部材と支持部材と分離して積み重ねることができる。
【００１３】
さて、上述の中央部材を、複数の部材から構成し、且つこれら複数の部材を蛇腹状に折り畳み可能に構成してもよい。このような構成によれば、中央部材を折り畳むことによりスタンドの左右方向の長さを短くでき、その設置面積を小さくできる。
【００１４】
また、上述の中央部材を、次のように伸縮自在な構成としてもよい。すなわち、中央部材を２つの部材から構成し、且つこれら２つの部材を、互いが離れることでそれぞれに連設された一対の前記支持部材に電子楽器の左右端近傍を支持させる位置と、互いが近接する位置との間で移動可能に構成する。このような構成によれば、中央部材を収縮させればスタンドの横方向の長さを短くでき、その設置面積を小さくできる。また、このような構成によれば、横幅の異なる複数種類の電子楽器に対応できる。
【００１５】
ところで、スタンドを電子楽器に取り付ける際にはしっかりと取り付けられることが望ましい。
そこで、電子楽器とスタンドとの取り付け構造として次のような構成が考えられる。すなわち、電子楽器がその下部に脚部（２０）を備え、その脚部は略円柱状であり、且つその外周面には周方向に沿う係合溝（２２）が設けられており、一方可動部材が、支持位置において係合溝に係合可能な切り欠き（２８）を有するように構成する。
【００１６】
このような構成によれば、まず可動部材を支持位置以外のところにし、続いて電子楽器をスタンドの上に載せる。次に可動部材を支持位置に動かし、可動部材の切り欠きを電子楽器の脚部の係合溝に差し込む。このようにすれば電子楽器を上方に引き上げても切り欠きと係合溝との係合が解かれず、したがって、スタンドを電子楽器にしっかりと取り付けることができる。
【００１７】
また、次のような構成も考えられる。すなわち、電子楽器がその下部に脚部を備え、一方可動部材が、支持位置において電子楽器の脚部を差し入れ可能な係合穴（３０）を有する構成とする。
このような構成によれば、可動部材を支持位置にしたのちに、電子楽器を下方に移動させて脚部を係合穴に差し入れることで電子楽器のスタンドを電子楽器に取り付けることができる。すると、可動部材を押すなどして移動させようとしても脚部と係合穴との係合が解かれない。したがって、スタンドを電子楽器にしっかりと取り付けることができる。
【００１８】
【発明の実施の形態】
以下、本発明が適用された実施例について図面を用いて説明する。なお、本発明の実施の形態は、下記の実施例に何ら限定されることなく、本発明の技術的範囲に属する限り種々の形態を採りうることは言うまでもない。
【００１９】
図１は、電子楽器のスタンド１０（以下スタンド１０）を示す斜視図であり、その可動部材１８が支持位置にあるところを示している。なお、「支持位置」については後述する。なお、この図１では電子楽器１を二点鎖線で図示しており、また、以降、この電子楽器１において、演奏者が演奏する側（図１で手前側）を「前側」とし、演奏者が演奏する側の反対側（図１では向こう側）を「後側」とし、演奏者側から見た電子楽器１の右側、左側をそれぞれ「右側」、「左側」とする。
【００２０】
このスタンド１０は、板状の中央部材１２、中央部材１２の両端付近にそれぞれ連設された一対の板状の支持部材１４，１４および支持部材１４，１４それぞれに蝶番１６（図２（ａ）参照）により回転可能に連結された一対の板状の可動部材１８，１８を備えており、その形状は略コの字状である。
【００２１】
このうち支持部材１４，１４は、中央部材１２に対してビスや木ねじなどにより分離可能に連結されており、電子楽器１の左右端近傍を下方から支持できる。また、中央部材１２と支持部材１４，１４とを分離すれば、例えばこれらを積み重ねるなどスタンド１０をコンパクトにできる。
【００２２】
また、可動部材１８，１８は、図１に示す位置にある際には、支持部材１４，１４と協働して電子楽器１の前後端近傍を下方から支持できる（支持位置）。この可動部材１８，１８は、スタンド１の内側（中央部材１２および支持部材１４，１４に囲まれたところ）に折り畳むことができる。すなわち、可動部材１８，１８を、それぞれ蝶番１６を中心にしてスタンド１の内側に向けて回転させる（図２（ａ））。これら可動部材１８，１８の前後方向の長さは、支持部材１４，１４の前後方向の長さよりも短く設定されており、　スタンド１の内側に向けて回転する可動部材１８，１８はそれぞれ支持部材１４，１４に当接する。そして、この状態の可動部材１８，１８は、支持位置に位置する場合よりも中央部材１２に近い近接位置にある（図２（ｂ））。
【００２３】
一方、近接位置にある可動部材１８，１８を上述とは逆の方向に回転させると、可動部材１８，１８を支持位置とすることができる（図１）。
さて、図１に示す電子楽器１の下部の四隅近傍には、略円柱状の脚部がそれぞれ設けられている。そして、図３（ａ）に示すように、これら脚部のうち電子楽器１の前側に設けられた２つの脚部（以下脚部２０）の外周面には、周方向に沿う係合溝２２がそれぞれ設けられている。
【００２４】
一方、可動部材１８，１８には、図１に示すように取付部材２４がそれぞれ取り付けられている。この取付部材２４は、その途中から折れ曲がっている略Ｌ字状であり、その折れ曲がった部分（水平部２６）が水平になる姿勢でビスなどにより可動部材１８に固定されている。さらに、この水平部２６には切り欠き２８が設けられている。
【００２５】
これら脚部２０の係合溝２２および取付部材２４の切り欠き２８は、次のように設定されている。すなわち、図１に示すように電子楽器１をスタンド１０に載せ、そして可動部材１８を支持位置以外の位置から支持位置に移動させると、切り欠き２８が係合溝２２に係合する。
【００２６】
このように係合溝２２と切り欠き２８が係合した場合には、電子楽器１を上方に引き上げてもこれら係合溝２２と切り欠き２８との係合が解かれず、したがって、スタンド１０を電子楽器１にしっかりと取り付けることができる。
また、上述の支持位置にある可動部材１８を支持位置から近接位置に向けて移動させれば、係合溝２２が切り欠き２８から引き抜かれて両者の係合状態が解かれる。
【００２７】
次にスタンド１０の取り付け・取り外し手順を説明する。
スタンド１０を電子楽器１に取り付けるには、まず可動部材１８，１８を支持位置と近接位置との間にそれぞれ位置させ（図２（ａ）に例示）、続いて電子楽器１をスタンド１０に載せる。そして、可動部材１８，１８を、蝶番１６を中心に支持位置に向けてそれぞれ回転させる。すると、可動部材１８，１８それぞれの切り欠き２８，２８がそれぞれ脚部２０，２０の係合溝２２，２２に差し込まれ、そして可動部材１８，１８がそれぞれ支持位置となる。このようにしてスタンド１０が電子楽器１に取り付けられる（図１）。
【００２８】
一方、スタンド１０を電子楽器１から取り外すには、支持位置にある可動部材１８，１８を、蝶番１６を中心にして近接位置に向けてそれぞれ回転させる。すると、係合溝２２，２２が切り欠き２８，２８からそれぞれ引き抜かれてこれらの係合状態が解かれる。続いて、電子楽器１を上方に持ち上げると、スタンド１０が電子楽器１から取り外される。
【００２９】
また、このようにスタンド１０が電子楽器１から取り外されている際には、次のようにして可動部材１８，１８を折り畳むことができる。すなわち、まず電子楽器１から取り外したスタンド１０の可動部材１８，１８を、蝶番１６を中心にして近接位置に向けてそれぞれ回転させる（図２（ａ））。すると、可動部材１８，１８がそれぞれ支持部材１４，１４に当接して近接位置となる（図２（ｂ））。
【００３０】
このように、本実施例のスタンド１０においては、スタンド１０が電子楽器１から取り外されている際に可動部材１８，１８をスタンド１０の内側に折り畳めば、その分スタンド１０の前後方向の長さが短くなる。したがって、スタンド１０の設置面積を小さくできる。
【００３１】
［別実施例］
（１）上記実施例のスタンドにおける中央部材、支持部材および可動部材の連設状態は、様々な形態が考えられる。例えば、図６（ａ）に示すように、中央部材の両端それぞれに一対の支持部材を連設し、且つこれら支持部材それぞれに可動部材を回転可能に連結してもよい。また図６（ｂ）に示すように、中央部材の両端それぞれに一対の支持部材を連設し、且つこれら連設部分付近に可動部材を回転可能に連結してもよい。さらに、図６（ｃ）に示すように、中央部材の両端それぞれに一対の支持部材を連設し、且つこの中央部材に可動部材を水平方向に平行移動可能に、若しくは回転可能に連結してもよい。また、図６（ｄ）に示すように、中央部材の両端付近に一対の支持部材を連設し、且つこれら支持部材それぞれに可動部材を回転可能に連結してもよい。なお、図６では「支持位置」にある可動部材を実線にて、「近接位置」にある可動部材を二点鎖線にてそれぞれ図示しており、この可動部材は「支持位置」と「近接位置」との間を図中の矢印の方向に移動する。
（２）上記実施例の可動部材１８が、蝶番１６を介さずに支持部材１４に回転可能に連結される構成としてもよい。この場合、例えば、可動部材１８の一部と支持部材１４の一部とが回転可能に連結する構成が考えられる。
【００３２】
また、上記実施例の可動部材１８が、スタンド１０の外側に回転可能となるように構成してもよい。
（３）上記実施例の可動部材１８を支持部材１４に対して伸縮自在に構成してもよい。この場合、例えば図４（ａ）に示すように、連結金具３２などにより支持部材１４と可動部材１８とを連結する構成が考えられる。
【００３３】
まずこの連結金具３２は、短辺部３２ａおよび長辺部３２ｂとからなる略Ｌ字状である。このうち長辺部３２ｂは、短辺部３２ａと比較して極端に長く構成されており、さらにそのほぼ全長にわたって長孔３２ｃが形成されている。また、この連結金具３２は、短辺部３２ａが可動部材１８の背面上部にねじ止めされ、この状態で、長辺部３２ｂが、可動部材１８と面一の高さで後方に長く延びている。
【００３４】
一方、支持部材１４の上面には、その長さ方向に沿って、案内溝３４が形成されている。この案内溝３４は、その前側および内側が開放されているとともに、連結金具３２の長辺部３２ｂとほぼ同じ長さおよび深さを有しており、連結金具３２の長辺部３２ｂを面一の高さで受け入れて、案内溝３４上をスライドさせるようになっている。また、案内溝３４の上面前部にはねじ穴３４ａが形成されている。
【００３５】
そして、可動部材１８を、図４（ａ）に示す支持位置と図４（ｂ）に示す近接位置との間の位置とし、さらに止めねじ３６を、長辺部３２ｂの長孔３２ｃを通して案内溝３４のねじ穴３４ａにねじ入れれば、連結金具３２の長辺部３２ｂが、支持部材１４に任意の位置で固定され、可動部材１８が支持部材１４に対して連結される。
（４）また、上記実施例の可動部材１８を、図５（ａ）に示すように、支持部材１４に対して支持位置と近接位置との間で水平方向に平行移動可能に連設する構成も考えられる。この場合、例えば支持部材１４または可動部材１８に案内レールをその前後方向に沿って設け、他方にその案内レールに案内されるローラを設けるなどすればよい。なお、図５（ａ）では「支持位置」にある可動部材１８を実線で、「近接位置」にある可動部材１８を二点鎖線でそれぞれ図示しており、この可動部材１８は「支持位置」と「近接位置」との間を図中の矢印の方向に移動する。
（５）上記実施例の支持部材１４を、中央部材１２に回転可能に連結する構成としてもよい。このような構成にすれば、支持部材１４ごと折り畳むことによりスタンド１０の設置面積をより小さくできる。
（６）上記実施例の中央部材１２を、図５（ｂ）に示すように、２つの部材から構成し、且つこれら２つの部材を、互いが離れることでそれぞれに連設された一対の支持部材１４，１４に電子楽器１の左右端近傍を支持させる位置（実線にて図示）と、互いが近接する位置（右の支持部材１４を二点鎖線にて図示）との間で移動可能に構成してもよい。この場合、例えば、中央部材１２の２つの部材を連結金具などで連結してもよい。また、中央部材１２の２つの部材のうち一方に案内穴を左右方向に設け、他方にその案内穴に差し入れ可能な案内ロッドを設けてもよい。なお、この中央部材１２は、上述の２つの位置の間を矢印の方向に移動する。
【００３６】
このような構成によれば、中央部材１２を収縮させればスタンド１０の横方向の長さを短くでき、その設置面積を小さくできる。また、このような構成のスタンド１０は、横幅の異なる複数種類の電子楽器に対応できる。
（７）また、上記実施例の中央部材１２を複数の部材から構成し、且つこれら複数の部材を蛇腹状に折り畳み可能に構成してもよい。このような構成によれば、中央部材１２を折り畳むことによりスタンド１０の左右方向の長さを短くでき、その設置面積を小さくできる。
（８）上記実施例の電子楽器１とスタンド１０との取り付け構造においては、図３（ｂ）に示すように、取付部材２４の水平部２６に、可動部材１８が支持位置にある場合に脚部２１を差し入れ可能な係合穴３０を設けてもよい。
【００３７】
このような構成によれば、可動部材１８，１８を支持位置にしたのちに、電子楽器１を下方に移動させて脚部２１を係合穴３０に差し入れることでスタンド１０を電子楽器１に取り付けることができる。すると、可動部材１８，１８を押すなどして移動させようとしても脚部２１と係合穴３０との係合が解かれない。したがって、スタンド１０を電子楽器１にしっかりと取り付けることができる。
（９）また、図３（ｃ）に示すように、電子楽器１の下部にねじ穴を設け、且つ取付部材２４の水平部２６に貫通穴を設け、止めねじ４０を、貫通穴を通してねじ穴にねじ入れることでスタンド１０を電子楽器１に取り付けるようにしてもよい。
【図面の簡単な説明】
【図１】実施例の電子楽器のスタンドを示す斜視図であり、その可動部材が支持位置にあるところを示している。
【図２】（ａ）は支持位置から近接位置へ移動する可動部材を示す斜視図であり、（ｂ）は近接位置にある可動部材を示す斜視図である。
【図３】（ａ）は電子楽器と可動部材との取付構造（１）を示す斜視図であり、（ｂ）は電子楽器と可動部材との取付構造（２）を示す斜視図であり、（ｃ）は電子楽器と可動部材との取付構造（３）を示す斜視図である。
【図４】支持部材と可動部材の別実施例を示す斜視図であり、（ａ）は可動部材が支持位置にある状態を示しており、（ｂ）は可動部材が近接位置にある状態を示している。
【図５】（ａ）は可動部材を支持部材に対して水平方向に平行移動可能に連設した状態を示す概略図であり、（ｂ）は中央部材を２つの部材から構成した状態を示す概略図である。
【図６】実施例のスタンドにおける中央部材、支持部材および可動部材の連設状態を例示する概略図であり、
（ａ）は中央部材の両端それぞれに一対の支持部材を連設し、且つこれら支持部材それぞれに可動部材を回転可能に連結した状態を示し、
（ｂ）は中央部材の両端それぞれに一対の支持部材を連設し、且つこれら連設部分付近に可動部材を回転可能に連結した状態を示し、
（ｃ）は中央部材の両端それぞれに一対の支持部材を連設し、且つこの中央部材に可動部材を水平方向に平行移動可能に、若しくは回転可能に連結した状態を示し、
（ｄ）は中央部材の両端付近に一対の支持部材を連設し、且つこれら支持部材それぞれに可動部材を回転可能に連結した状態を示す。
【符号の説明】
１…電子楽器、１０…電子楽器のスタンド、１２…中央部材、１４…支持部材、１６…蝶番、１８…可動部材、２０，２１…脚部、２２…係合溝、２４…取付部材、２６…水平部、２８…切り欠き、３０…係合穴、３２…連結金具、３２ａ…短辺部、３２ｂ…長辺部、３２ｃ…長孔、３４…案内溝、３４ａ…ねじ穴、３６，４０…止めねじ
【図１】
2004021022.tif 000003
【図２】
2004021022.tif 000004
【図３】
2004021022.tif 000005
【図４】
2004021022.tif 000006
【図５】
2004021022.tif 000007
【図６】
2004021022.tif 000008